(57)【要約】【課題】光学特性を利用したゴミ付着検出法に適する密着型イメージセンサユニットと適さない密着型イメージセンサユニットの双方を有効利用する画像読取装置を提供する。【解決手段】湾曲される原稿の外側から原稿上の画像を密着型イメージセンサユニット１８で読取ると共に密着型イメージセンサユニットが白色基準板１９ｂに対して可動する仕組みの第１読取部と、湾曲される原稿の内側から原稿上の画像を密着型イメージセンサユニット１７で読取ると共に密着型イメージセンサユニットが白色基準板１９ａに対して固定された仕組みの第２読取部とを備え、密着型イメージセンサユニットの光学特性に基づいて白色基準部材を読み取って得た読取データから入射面のゴミ付着の検出が可能となる所定の光学特性値を備えた密着型イメージセンサユニットを第２読取部に搭載し、その光学特性値を備えない密着型イメージセンサユニットを第１読取部に搭載する。【選択図】図１
2020150477.tif 000002
【特許請求の範囲】
【請求項１】
湾曲される原稿の外側から前記原稿上の画像を密着型イメージセンサユニットで読み取ると共に、該密着型イメージセンサユニットが白色基準部材に対して可動する仕組みを備えた第１読取部と、
前記湾曲される原稿の内側から前記原稿上の画像を密着型イメージセンサユニットで読み取ると共に、該密着型イメージセンサユニットが白色基準部材に対して固定された仕組みを備えた第２読取部と、
を備え、
密着型イメージセンサユニットの光学特性に基づいて白色基準部材を読み取って得た読取データから入射面のゴミ付着の検出が可能となる所定の光学特性値を備えた密着型イメージセンサユニットを前記第２読取部に搭載し、
前記所定の光学特性値を備えない密着型イメージセンサユニットを前記第１読取部に搭載した
ことを特徴とする画像読取装置。
【請求項２】
対向する白色基準部材を密着型イメージセンサユニットで読み取って読取データを収集する収集部と、
前記収集部が収集した前記読取データから、前記密着型イメージセンサユニットを構成するセンサＩＣ単位に前記光学特性値を導出する演算部と、
をさらに有する
ことを特徴とする請求項１に記載の画像読取装置。
【請求項３】
前記演算部が導出した光学特性値がすべてのセンサＩＣで所定の閾値より大きい密着型イメージセンサユニットを、前記第２読取部に搭載する
ことを特徴とする請求項２に記載の画像読取装置。
【請求項４】
前記演算部は、着目画素の前後所定範囲の区間毎に、その区間内での前記読取データの最大値と最小値の差分を求め、該差分のセンサＩＣ単位での平均値を、センサＩＣ単位の前記光学特性値として導出する
ことを特徴とする請求項２または３に記載の画像読取装置。
【請求項５】
前記演算部は、着目画素の前後所定範囲の区間毎に、その区間内での前記読取データの最大値と最小値の差分を求め、該差分のセンサＩＣ単位での最小値を、センサＩＣ単位の前記光学特性値として導出する
ことを特徴とする請求項２または３に記載の画像読取装置。
【請求項６】
前記差分は、前記読取データに移動平均処理を施した後のデータの前記区間内での最大値と最小値の差分である
ことを特徴とする請求項４または５に記載の画像読取装置。
【請求項７】
前記区間は、密着型ラインイメージセンサが有するロッドレンズアレイのレンズ周期に対応する
ことを特徴とする請求項４乃至６のいずれか１つに記載の画像読取装置。
【請求項８】
入射面のごみ付着の検出方式を前記第１読取部と前記第２読取部で切り替える
ことを特徴とする請求項１乃至７のいずれか１つに記載の画像読取装置。
【発明の詳細な説明】
【技術分野】
【０００１】
本発明は、原稿を光学的に読み取る密着型イメージセンサユニットを用いた画像読取装置に関する。
【背景技術】
【０００２】
原稿に密着させて該原稿を光学的に読み取る密着型イメージセンサユニット（CIS : Contact Image Sensor）は、主走査方向に均一な光を原稿に照射する光源部と、受光素子を主走査方向のライン状に配列した光電変換部と、光源部から照射されて原稿で反射された光を光電変換部の受光素子に結像させるロッドレンズアレイとを１つの筐体に収めた一体構成となっている。そのため、密着型イメージセンサユニットを用いれば、縮小光学系を採用する場合に比べて、画像読取装置を薄型で小型に実現することができる。
【０００３】
画像読取装置では、原稿の読み取りを行う前に、白色基準板を読み取り、その読取データに基づいて、光量ムラを補正するためのシェーディング補正が行われる。この際、白色基準板や密着型イメージセンサユニットが有するロッドレンズアレイの入射面にゴミが付着していると、適切なシェーディング補正が難しくなる。
【０００４】
下記特許文献１には、原稿毎に白基準部材を読み取って得たシェーディングデータを用いてシェーディング補正する場合にも、白基準部材に付着したごみ・汚れやノイズの影響を低減し得る技術が開示されている。この読取装置では、原稿毎に取得されるメインシェーディングデータを用いて画像データ(メインデータ)をシェーディング補正して得られた補正済みメインデータと、ジョブ開始前に予め取得されノイズ成分が除去されたサブシェーディングデータを用いて同じ画像データをシェーディング補正した補正済みサブデータとを比較し、両者の差が大きい部位については、補正済みメインデータを該当する補正済みサブデータで補間する。
【先行技術文献】
【特許文献】
【０００５】
【特許文献１】特開２００６−０１３８３３号公報
【発明の概要】
【発明が解決しようとする課題】
【０００６】
特許文献１に開示の技術では、メインシェーディングデータと比較するためのサブシェーディングデータを用意する必要があり、装置構成や補正処理が煩雑になる。
【０００７】
ところで、密着型イメージセンサユニットでは、原稿からの反射光はロッドレンズアレイを通してイメージセンサで受光することで、均一な白色基準板を読み取った場合でも、生データが示す光量値は、ロッドレンズアレイの光学特性による周期的な増減（レンズ直径に起因する周期的なレベル変化）を見せる。そして、ゴミが付着している場合、この周期的なレベル増減となる振幅や周期に乱れが生じることを利用して、ゴミの付着を検出する技術が考案されている。
【０００８】
この検出方法では、サブシェーディングデータを用意する必要はないが、センサ出力検査の合格品である密着型イメージセンサユニットであっても、上記の光学特性を利用したゴミ付着検出法が適用できない特性を示すものが存在することが分かった。さらに、密着型イメージセンサユニットにおいて、光学特性を利用したゴミ付着検出法に適するか否かを見極めるために、実際にゴミを付着させて検査すると、検査工数が嵩み過ぎてしまう。また、光学特性を利用したゴミ付着検出法の利用に適さない密着型イメージセンサユニットであっても、センサ出力検査が合格品である以上、画像読取装置に組み込んで有効利用することが望まれる。
【０００９】
本発明は、上記の問題を解決しようとするものであり、光学特性を利用したゴミ付着検出法に適する密着型イメージセンサユニットと適さない密着型イメージセンサユニットの双方を有効利用することのできる画像読取装置を提供することを第１の目的としている。また、光学特性を利用したゴミ付着検出法に適する密着型イメージセンサユニットであるか否かを判定する機能を備えた画像読取装置を提供することを第２の目的としている。
【課題を解決するための手段】
【００１０】
かかる目的を達成するための本発明の要旨とするところは、次の各項の発明に存する。
【００１１】
［１］湾曲される原稿の外側から前記原稿上の画像を密着型イメージセンサユニットで読み取ると共に、該密着型イメージセンサユニットが白色基準部材に対して可動する仕組みを備えた第１読取部と、
前記湾曲される原稿の内側から前記原稿上の画像を密着型イメージセンサユニットで読み取ると共に、該密着型イメージセンサユニットが白色基準部材に対して固定された仕組みを備えた第２読取部と、
を備え、
密着型イメージセンサユニットの光学特性に基づいて白色基準部材を読み取って得た読取データから入射面のゴミ付着の検出が可能となる所定の光学特性値を備えた密着型イメージセンサユニットを前記第２読取部に搭載し、
前記所定の光学特性値を備えない密着型イメージセンサユニットを前記第１読取部に搭載した
ことを特徴とする画像読取装置。
【００１２】
上記発明では、白色基準部材と密着型イメージセンサユニットとの位置関係が固定される第２読取部には、密着型イメージセンサユニットの光学特性に基づいて白色基準部材を読み取って得た読取データから入射面のゴミ付着の検出が可能となる所定の光学特性値を備えた密着型イメージセンサユニットを搭載し、その光学特性値を備えない密着型イメージセンサユニットは、白色基準部材に対して密着型イメージセンサユニットが可動する仕組みの第１読取部に搭載する。密着型イメージセンサユニットが所定の光学特性値を有するか否かの判定処理は、当該画像読取装置で行っても良いし、画像読取装置以外の検査装置で行われても良い。
【００１３】
［２］対向する白色基準部材を密着型イメージセンサユニットで読み取って読取データを収集する収集部と、
前記収集部が収集した前記読取データから、前記密着型イメージセンサユニットを構成するセンサＩＣ単位に前記光学特性値を導出する演算部と、
をさらに有する
ことを特徴とする［１］に記載の画像読取装置。
【００１４】
上記発明では、光学特性値を演算する機能を画像読取装置が備える。
【００１５】
［３］前記演算部が導出した光学特性値がすべてのセンサＩＣで所定の閾値より大きい密着型イメージセンサユニットを、前記第２読取部に搭載する
ことを特徴とする［２］に記載の画像読取装置。
【００１６】
［４］前記演算部は、着目画素の前後所定範囲の区間毎に、その区間内での前記読取データの最大値と最小値の差分を求め、該差分のセンサＩＣ単位での平均値を、センサＩＣ単位の前記光学特性値として導出する
ことを特徴とする［２］または［３］に記載の画像読取装置。
【００１７】
［５］前記演算部は、着目画素の前後所定範囲の区間毎に、その区間内での前記読取データの最大値と最小値の差分を求め、該差分のセンサＩＣ単位での最小値を、センサＩＣ単位の前記光学特性値として導出する
ことを特徴とする［２］または［３］に記載の画像読取装置。
【００１８】
［６］前記差分は、前記読取データに移動平均処理を施した後のデータの前記区間内での最大値と最小値の差分である
ことを特徴とする［４］または［５］に記載の画像読取装置。
【００１９】
［７］前記区間は、密着型ラインイメージセンサが有するロッドレンズアレイのレンズ周期に対応する
ことを特徴とする［４］乃至［６］のいずれか１つに記載の画像読取装置。
【００２０】
［８］入射面のごみ付着の検出方式を前記第１読取部と前記第２読取部で切り替える
ことを特徴とする［１］乃至［７］のいずれか１つに記載の画像読取装置。
【発明の効果】
【００２１】
本発明に係る画像読取装置によれば、光学特性を利用したゴミ付着検出法に適する密着型イメージセンサユニットと適さない密着型イメージセンサユニットの双方を有効利用することができる。また、密着型イメージセンサユニットが光学特性を利用したゴミ付着検出法に適するか否かを判定することができる。
【図面の簡単な説明】
【００２２】
【図１】本発明の実施の形態に係る画像読取装置の一例を示す図である。
【図２】画像読取装置の電気的な構成を示すブロック図である。
【図３】密着型イメージセンサユニットの概略構成を示す断面図（主走査方向に直交する断面）である。
【図４】密着型イメージセンサユニットの内部を示す斜視図である。
【図５】ロッドレンズアレイの原理・構造を示す図である。
【図６】センサ基板上の光電変換部とその一部を拡大して示す図である。
【図７】ゴミ付着の無い状態で白色基準板を読み取ったときのＧchの光量特性の一例を示す図である。
【図８】ロッドレンズの隣接部に小さなゴミ等が付着した状態で白色基準板を読み取ったときのＧchの光量特性の一例を示す図である。
【図９】ロッドレンズの中央部（光軸）に小さなゴミが付着した状態で白色基準板を読み取ったときのＧchの光量特性の一例を示す図である。
【図１０】ゴミ付着の無い状態で白色基準板を読み取ったときのＲchの光量特性の一例を示す図である。
【図１１】ＣＩＳ判定モードにおいて画像読取装置が行う処理の概要を示す流れ図である。
【図１２】センサＩＣ毎、Ｒ，Ｇ，Ｂチェンネル毎に求めたチャンネル振幅値（Ave.）とチャンネル振幅値（Min.）の一覧を示す図である。
【図１３】図１２の一覧における各センサＩＣのＲ色のチャンネル振幅値（Ave.）をグラフ化した図である。
【図１４】図１２の一覧における各センサＩＣのＧ色のチャンネル振幅値（Ave.）をグラフ化した図である。
【図１５】図１２の一覧における各センサＩＣのＢ色のチャンネル振幅値（Ave.）をグラフ化した図である。
【図１６】移動平均処理を施した値に基づいてセンサＩＣ毎、色毎に求めたチャンネル振幅値（Ave.）の一覧を示す図である。
【発明を実施するための形態】
【００２３】
以下、図面に基づき本発明の実施の形態を説明する。
【００２４】
図１は、本発明の実施の形態に係る画像読取装置１０の一例を示す図である。画像読取装置１０は、矩形薄型箱状で上面にプラテンガラス１１と流し読み時の読取位置となる透光ガラス１２が嵌め込まれた本体部１３と、原稿台１４に載置された原稿を、１枚ずつ順に繰り出し、本体部１３上面の読取位置（透光ガラス１２の表面）を経て排紙トレイ１５へ搬送する自動原稿搬送部１６と、読取位置で原稿の裏面を読み取る密着型イメージセンサユニット１７と、読取位置で原稿の表面を読み取る密着型イメージセンサユニット１８と、プラテンガラス１１を覆う開閉可能なプラテンカバーを兼ねた排紙トレイ１５を有する。
【００２５】
自動原稿搬送部１６は、原稿の先端を挟持して原稿台１４から繰り出す一対の繰り出しローラ１６ａ、繰り出された原稿を搬送する搬送ローラ１６ｂ、これらのローラを回転駆動する駆動部等を備えて構成される。原稿は、搬送ローラ１６ｂの外周面に沿って湾曲しながら約半周搬送されることで進路を反転して読取位置へ向かう。自動原稿搬送部１６によって搬送される原稿を流し読みする際に、密着型イメージセンサユニット１７は、搬送ローラ１６ｂで湾曲された原稿の内側から原稿上の画像(裏面の画像)を読み取り、密着型イメージセンサユニット１８は湾曲された原稿の外側から原稿上の画像（表面の画像）を読み取る。
【００２６】
密着型イメージセンサユニット１７は、主走査方向（図１では紙面と直交する方向）の１ラインを一度に読み取る。密着型イメージセンサユニット１７は、透光ガラス１２の表面に対向近接して配置されており、透光ガラス１２を挟んで密着型イメージセンサユニット１７と対向する位置には高反射率の白色基準板（白色基準部材）１９ａが設けてある。密着型イメージセンサユニット１７と白色基準板１９ａの位置関係は固定されている。
【００２７】
このように、搬送ローラ１６ｂで湾曲された原稿の内側から原稿上の画像（表面の画像）を密着型イメージセンサユニット読み取ると共に密着型イメージセンサユニットが白色基準部材に対して固定された仕組みを備えた読取部を第２読取部とする。第２読取部は、密着型イメージセンサユニット１７、白色基準板１９ａ、これらの間にある透光ガラス１２等で構成される。
【００２８】
密着型イメージセンサユニット１８は、密着型イメージセンサユニット１７と同様に、主走査方向（図１の紙面と直交する方向）にライン単位の読み取りを行う。密着型イメージセンサユニット１８は図示省略の移動機構に保持されており、透光ガラス１２の裏面に対向近接しかつ密着型イメージセンサユニット１７の下流隣りのホームポジション(図１に実線で示す位置)からプラテンガラス１１の裏面に沿って該プラテンガラス１１の他端まで往復移動可能になっている。ホームポジションの密着型イメージセンサユニット１８に透光ガラス１２を挟んで対向する位置には、密着型イメージセンサユニット１８用の白色基準板（白色基準部材）１９ｂが設けてある。白色基準板１９ｂは固定されており、密着型イメージセンサユニット１８は白色基準板１９ｂに対して可動する。
【００２９】
このように、搬送ローラ１６ｂで湾曲された原稿の外側から原稿上の画像(裏面の画像)を密着型イメージセンサユニットで読み取ると共に、密着型イメージセンサユニットが白色基準部材に対して可動する仕組みを備えた読取部を第１読取部とする。第１読取部は、密着型イメージセンサユニット１８、白色基準板１９ｂ、これらの間にある透光ガラス１２、密着型イメージセンサユニット１８を可動させる移動機構、プラテンガラス１１などで構成される。第１読取部は、密着型イメージセンサユニット１８を副走査方向に移動させて白色基準板１９ｂの複数箇所を読み取ることができる。
【００３０】
第１読取部の密着型イメージセンサユニット１８は、可動することから、可動しない第２読取部の密着型イメージセンサユニット１７に比べて、紙粉の影響を受け難い。
【００３１】
図２は、画像読取装置１０の電気的な構成を示すブロック図である。画像読取装置１０は、バスを介してＣＰＵ（Central Processing Unit）２１、ＲＯＭ（Read Only Memory）２２、ＲＡＭ（Random Access Memory）２３、Ｉ／Ｆ（Interface）部２４、画像処理部２５等を接続した制御回路部２０を有する。また、ユーザから各種の操作を受けたり、設定画面、操作画面、装置状態等を表示したりする操作表示部２６を有する。操作表示部２６には、後述するＣＩＳ判定処理の判定結果が表示される。
【００３２】
操作表示部２６は制御回路部２０に接続されている。制御回路部２０のＩ／Ｆ部２４には密着型イメージセンサユニット１７、１８のほか、自動原稿搬送部１６の駆動部、密着型イメージセンサユニット１８を往復移動させる駆動部などが接続されている。
【００３３】
ＲＯＭ２２には、ＣＰＵ２１が実行するプログラムや各種の固定データが格納される。ＣＰＵ２１はＲＯＭ２２に格納されたプログラムに基づいて各種の処理・演算を実行する。また、ＣＰＵ２１はプログラムを実行することで、対向する白色基準板を検査対象の密着型イメージセンサユニットで読み取って読取データを収集する収集部、収集部が収集した読取データに基づいて、検査対象の密着型イメージセンサユニットを構成するセンサＩＣ単位に所定の光学特性値を導出する演算部としての機能を果たす。さらにＣＰＵ２１は、密着型イメージセンサユニット１７、１８の入射面にゴミが付着しているか否かを検出するゴミ付着検出処理なども行う。
【００３４】
ＲＡＭ２３はＣＰＵ２１がプログラムを実行する際に各種のデータを一時的に保存する機能を果たす。画像処理部２５は、密着型イメージセンサユニット１７、１８が出力するデータに対してシェーディング補正や色補正など各種の画像処理を施す。
【００３５】
画像読取装置１０は、原稿台１４に載置された原稿を読み取るとき(流し読みするとき)は、密着型イメージセンサユニット１８をホームポジションに位置させた状態で自動原稿搬送部１６によって原稿を搬送し、搬送中の原稿が読取位置を通過する際に密着型イメージセンサユニット１７、１８によるライン単位の読み取りを繰り返し行って、該原稿の表裏を同時に２次元に読み取る。
【００３６】
画像読取装置１０は、プラテンガラス１１上に載置された原稿を読み取るときは、密着型イメージセンサユニット１８をプラテンガラス１１の裏面に沿って移動させながら密着型イメージセンサユニット１８によるライン単位の読み取りを繰り返すことで原稿の片面（プラテンガラス１１側の面）を２次元に読み取る。
【００３７】
密着型イメージセンサユニット１７と密着型イメージセンサユニット１８の構成は基本的に同一であり、密着型イメージセンサユーザユニットの構造等に関する以後の説明では、密着型イメージセンサユニット１７を例に説明する。
【００３８】
図３は、密着型イメージセンサユニット１７の概略構成を示す断面図（主走査方向に直交する断面）であり、図４は密着型イメージセンサユニット１７の内部を示す斜視図である。密着型イメージセンサユニット１７は、筐体３０と、該筐体３０内に取り付けられた、照射部４０、ロッドレンズアレイ５０、センサ基板６０を備えて構成される。
【００３９】
密着型イメージセンサユニット１７は、主走査方向の各位置においてロッドレンズアレイ５０の光軸を中心とする幅方向(副走査方向)の所定範囲を読み取り範囲とし、照射部４０は主走査方向１ライン分の読み取り範囲に均一な光を照射する。ロッドレンズアレイ５０は、照射部４０から照射されて読み取り範囲に存在する読み取り対象物(原稿)で反射した光を、センサ基板６０に設けられた光電変換部６１の受光面に収束させる役割を果たす。
【００４０】
筐体３０は、主走査方向に細長い中空四角柱形状を成し、上面の幅方向中央に読み取り範囲に対応した主走査方向に長い開口を有し、該開口には透明ガラス板等の光を通す透過体３２が嵌め込まれている。筐体３０は、剛性の高いアルミニウム等の金属で構成されるものや、強化プラスチックで構成されるものもある。
【００４１】
照射部４０は、透過体３２を通じて読み取り範囲に均一な光を照射する。照射部４０は、図４に示すように、主走査方向に長い導光体４２と、導光体４２の端部に向けて光を照射するＬＥＤ（Light Emitting Diode）等の光源４４を有する。高速スキャンのためには図３、図４に示すように、導光体４２および光源４４をロッドレンズアレイ５０の光軸を中心にして幅方向（副走査方向）に対象に配置する両側光源とすることが好ましい。なお、必要光量を得られるならば、照射部４０をロッドレンズアレイ５０の一方側のみに設ける構成でも良い。また、図４では、光源４４を導光体４２の両端に設けた例を示したが、導光体４２の一端側にのみ光源４４を設ける構成でもよい。
【００４２】
なお、照射部４０は、ロッドレンズアレイ５０の光軸を中心とする読み取り範囲に均一な光を照射するのが理想であるが、実際には、ロッドレンズアレイ５０の光軸を中心に幅方向に僅かに山なりの照度分布となるような照射範囲の広い構成のものでも良い。
【００４３】
センサ基板６０は、照射部４０から照査された後、読み取り対象物で反射してロッドレンズアレイ５０で収束された光を受光して電気信号に変換する光電変換部６１や光電変換部６１の駆動回路、光電変換部６１の出力するアナログ信号をディジタル信号に変換等するアナログフロントエンド（ＡＦＥ）、当該密着型イメージセンサユニット１７に関する各種のデータを記憶する記憶部（不揮発メモリ）６３等が取り付けられた電装基板である。記憶部６３には、ロッドレンズアレイ５０と光電変換部６１との相対位置情報や光電変換部６１の特性データなどが記憶される。
【００４４】
図５は、ロッドレンズアレイ５０の原理・構造を示す図である。図５において、ロッドレンズアレイ５０は、円柱状のロッドレンズを複数並接して構成される。ロッドレンズアレイ５０の左側を原稿面、右側を結像面（光電変換部６１の受光面）とする。結像面は、原稿面で反射した光がロッドレンズアレイ５０を通して収束して結像する位置である。ロッドレンズアレイ５０は、原稿面と該原稿面側のレンズ面とのフォーカス距離Ｌ１と、結像面と該結像面側のレンズ面とのフォーカス距離Ｌ２は等しいという特性を有する。
【００４５】
従って、距離Ｌ１と距離Ｌ２が等しいときには原稿からの反射光が受光面に正しく結像するが、画像読取装置１０に密着型イメージセンサユニット１７、１８を取り付けた場合、搬送により原稿の位置が微妙に変動することに伴って距離Ｌ１は僅かに変動する。これに対して、距離Ｌ２は、センサ基板６０およびロッドレンズアレイ５０を筐体３０に固定した際に固定されて変化しない。
【００４６】
また、ロッドレンズアレイ５０では、隣り合ったロッドレンズが作る像の重ね合わせとして結像するため、白色基準板を読み取った場合、ロッドレンズの直径サイズに起因する周期的な出力特性の変動が確認される。すなわち、ロッドレンズアレイ５０が多数のロッドレンズを主走査方向に配列して構成されることから、主走査方向には、ロッドレンズの配列間隔（レンズ直径サイズ）に起因する周期をもった光量分布の光学特性となる。なお、白色基準板を読み取った場合の結像面における副走査方向の光量分布は光軸を中心に山なりになる。
【００４７】
図６は、センサ基板６０上の光電変換部６１およびその一部を拡大して示す図である。光電変換部６１は、それぞれ１ライン分の画素数に対応する受光素子を直線状に配列したｎ−１チャンネル、ｎチャンネル、ｎ＋１チャンネルを並列に隣接して備える。ｎ−１チャンネルはＲ色を、ｎチャンネルはＧ色を、ｎ＋１チャンネルはＢ色を担当し、それぞれ、対応する色のカラーフィルタが受光面の前面に設けてある。
【００４８】
Ｇ色のチャンネル（Ｇch）はロッドレンズアレイ５０の光軸中心に位置し、Ｒ色、Ｂ色のチャンネル（Ｒch、Ｂch）はその両側に、読み取り解像度に対応する間隔（解像度が６００ＤＰＩの場合42μm間隔）を開けて配置されている。また、光電変換部６１は、主走査方向に複数個のセンサＩＣを配列して構成される。たとえば、６００ＤＰＩのセンサＩＣを用いる場合、Ａ４幅ならば、有効画素５１６８程度となり、１個のセンサＩＣでの画素数は３００画素程度なので、およそ１７個のセンサＩＣが一列に配列される。
【００４９】
なお、複数のセンサＩＣを、画素が完全に一直線に並ぶように配列して固定することは困難であり、密着型イメージセンサユニットのメーカにおいては、予め定めた配置規定（所定の読み取り直線性を実現するためのセンサＩＣ間の主走査方向、副走査方向におけるズレの許容値）内にズレが収まる場合は検査合格としている。
【００５０】
次に、密着型イメージセンサユニットが有する光学特性に基づいて、入射面のゴミ付着を検出する方法について説明する。ここで言う光学特性とは、白色基準板を読み取った場合に、ロッドレンズの直径サイズに起因する周期的な出力変化を指す。
【００５１】
図７は、ゴミ付着の無い状態で白色基準板を読み取ったときの、Ｇ色のチャンネル（Ｇch）の光量特性（出力特性）を示すグラフである。横軸は主走査の画素番号、縦軸はセンサ出力値（10ビットでA/D変換した値を10進数で示す値）を示す。隣り合った複数のレンズ素子が影響した結果として、レンズ素子の直径要因が想定されるピーク周期が確認できる。ピークは各レンズ素子の光軸中心に対応する。
【００５２】
図８は、ロッドレンズの隣接部に小さなゴミ等が付着した状態で白色基準板を読み取ったときの、Ｇ色のチャンネル（Ｇch）の光量特性を示すグラフである。図７と同様に横軸は主走査の画素番号、縦軸はセンサ出力値（10ビットでA/D変換した値を10進数で示す値）を示す。図８の点線枠の部分が、軽微なゴミの付着によって出力特性に変化が生じた部分である。
【００５３】
図７のゴミが付着していない場合と比較すると、165画素付近の落ち込みが顕著になっていることが判る。このように、ロッドレンズの隣接部でゴミが付着している部分では、ゴミ付着なしのときに比べて、その部分のレベルが低下して出力特性の振幅が大きくなる傾向がある。
【００５４】
図９は、ロッドレンズの中央部（光軸）に小さなゴミが付着した状態で白色基準板を読み取ったときの、Ｇ色のチャンネル（Ｇch）の光量特性を示すグラフである。図７と同様に横軸は主走査の画素番号、縦軸はセンサ出力値（10ビットでA/D変換した値を10進数で示す値）を示す。図９の点線枠の部分が、軽微なゴミの付着によって出力特性に変化が生じた部分である。
【００５５】
図７のゴミが付着していない場合と比較すると、ロッドレンズの中央部(光軸)付近のゴミが付着している部分では、本来あるべきピークが失われるので、ゴミ付着なしのときに比べて、出力特性の振幅が小さくなると同時に、周期が長くなったように見える。
【００５６】
図７〜図９の事例から、ゴミ等が付着していない状態の光学特性（ロッドレンズ起因の周期・振幅特性値）を初期情報として持っていれば、画像の読み取り動作前に行う白色基準板の読み取り動作で得た情報と、初期情報との比較（ロッドレンズ起因の周期・振幅特性値の変化量のチェック）により、ゴミ等が付着しているかを検出することができる。この方法によるごみ付着の検出方法を、第１のゴミ付着検出方法と呼ぶものとする。
【００５７】
第１のゴミ付着検出方法によってゴミ付着の有無を的確に検出するには、ゴミ等が付着していない状態の光学特性（ロッドレンズ起因の周期・振幅特性値）が適正（振幅が一定以上）であることを要するが、メーカの検査に合格した密着型イメージセンサユニットであっても、第１のゴミ付着検出方法に適さないものが存在する。
【００５８】
たとえば、Ｒ色、Ｇ色、Ｂ色のチャンネルを備える密着型イメージセンサユニットでは、前述したように、中央のＧ色のチャンネルは、ロッドレンズの光軸上にほぼ位置するが、Ｒ色やＢ色のチャンネルは、ロッドレンズの光軸から読取解像度分(６００ＤＰＩの場合４２μ)だけ離れているので、その分、受光量が少なく、振幅が全体に小さくなりやすい。また、光電変換部６１を構成する複数のセンサＩＣは、前述したように、所定の配置規定内で配置の振れが許容されるため、検査合格品であっても、配置規定内での僅かなバラツキにより、ロッドレンズ起因の周期・振幅特性が、第１のゴミ付着検出方法に適さないほど変化してしまうことがある。特に、光軸中心から離れたＲ色やＢ色のチャンネルでは、光学特性が悪く、配置振れの影響が顕著になる。図１０は、その一例を示している。
【００５９】
図１０は、Ｒ色のチャンネルの出力特性ある。Ｒ色のチャンネルはロッドレンズの光軸から幅方向に解像度分離れた場所にあるので、図７に示すＧ色の出力特性に比べて、振幅は小さくなっている。また、図中の点線枠の部分では、ロッドレンズ起因の周期性とは違う周期性が現れている。なお、図示省略するが、Ｂ色のチャンネルについてもＲ色と同様な現象が起こり得ることは、ロッドレンズ光軸からＲ色のチャンネルとは逆方向に解像度分離れた場所にあることから自明である。
【００６０】
本発明は、密着型イメージセンサユニットが第１のゴミ付着検出方法に適する光学特性(振幅特性)を備えているか否かを判定するための判定方法（ＣＩＳ判定処理）を提供する。以下、この判定方法について説明する。
【００６１】
ここでは、Ａ４サイズ、解像度６００ＤＰＩ（有効画素５１６８画素）であって、Ｒ色、Ｇ色、Ｒ色の３つのチャンネルを並列に有する１７個のセンサＩＣを一列に並べて備え、かつロッドレンズアレイが１列であるタイプの密着型イメージセンサユニットを例に説明する。
【００６２】
有効画素数（５１６８画素）を１７個のセンサＩＣで均等に分担するので、センサＩＣ１個当たりの画素数は３０４画素となる。また、ロッドレンズアレイは１列であり、解像度が６００ＤＰＩ（画素ピッチ４２μ）であることから、レンズ周期性（直径相当）を９画素程度に設定する。
【００６３】
画像読取装置１０に搭載されている密着型イメージセンサユニットを新たなものに交換する等の際に、サービスマンはその新たな密着型イメージセンサユニット(検査対象の密着型イメージセンサユニット)を、第１読取部（あるいは第２読取部）に取り付けた後、操作表示部２６から所定の操作を行って画像読取装置１０をＣＩＳ判定モードで動作させる。
【００６４】
図１１は、ＣＩＳ判定モードにおいて画像読取装置１０が行う処理（ＣＩＳ判定処理）の概要を示す流れ図である。ＣＩＳ判定モードにおいて画像読取装置１０は、検査対象の密着型イメージセンサユニットで対向する白色基準板を読み取り、そのときのセンサ出力データをA/D変換してディジタル値とする。Ａ／Ｄ変換部からはディジタル値が１０ビット（0〜1023）で出力されるものとする。そして、１０ビットのディジタル値となったセンサ出力データから黒補正値を引いて得た値である読み取り値(読取データ)をＲＡＭ２３に一次格納する（ステップＳ１０１）。ここでは、読み取り値は、ＲＧＢの色毎の配列、R(x),G(x),B(x):x=1〜5168、ｘは画素番号、として一次格納される。
【００６５】
次に、画像読取装置１０は、センサＩＣ毎に、上記の配列を区切って、再格納する(ステップＳ１０２)。センサＩＣ番号を（１）〜（１７）とし、
センサＩＣ（１）： R(x),G(x),B(x):x=1〜304
センサＩＣ（２）： R(x),G(x),B(x):x=305〜608
センサＩＣ（３）： R(x),G(x),B(x):x=609〜912
センサＩＣ（４）： R(x),G(x),B(x):x=913〜1216
センサＩＣ（５）： R(x),G(x),B(x):x=1217〜1520
センサＩＣ（６）： R(x),G(x),B(x):x=1521〜1824
センサＩＣ（７）： R(x),G(x),B(x):x=1825〜2128
センサＩＣ（８）： R(x),G(x),B(x):x=2129〜2432
センサＩＣ（９）： R(x),G(x),B(x):x=2433〜2736
センサＩＣ（１０）： R(x),G(x),B(x):x=2737~3040
センサＩＣ（１１）： R(x),G(x),B(x):x=3041〜3344
センサＩＣ（１２）： R(x),G(x),B(x):x=3345〜3648
センサＩＣ（１３）： R(x),G(x),B(x):x=3649〜3952
センサＩＣ（１４）： R(x),G(x),B(x):x=3953〜4256
センサＩＣ（１５）： R(x),G(x),B(x):x=4257〜4560
センサＩＣ（１６）： R(x),G(x),B(x):x=4561〜4864
センサＩＣ（１７）： R(x),G(x),B(x):x=4865〜5168
となる。
【００６６】
次に、画像読取装置１０は、各センサＩＣについて、振幅特性値（光学特性値）を求める。ここでは、ロッドレンズ周期性（直径相当）を９画素とし、センサＩＣ内で９画素を区間とした、区間最大値、区間最小値、（区間最大値−区間最小値）の配列を求める（ステップＳ１０３）。この時、センサＩＣの先頭４画素、後端４画素は区間最大値、区間最小値の配列画素から除外することから、センサＩＣ毎に３０４画素であった配列は、２９６画素毎の配列となる。（区間最大値−区間最小値）の演算で、その区間における振幅値が求まる。
【００６７】
さらに、センサＩＣ毎かつ色毎に、この振幅値（区間最大値−区間最小値）の平均値（チャンネル振幅値（Ave.））を求める。あるいは、センサＩＣ毎かつ色毎に、この振幅値の最小値（チャンネル振幅値（Min.））を求める（ステップＳ１０４）。
【００６８】
具体的には上記ステップＳ１０３、Ｓ１０４の演算は以下のように行われる。なお、センサＩＣ単位に光学特性値（チャンネル振幅値（Ave.）や（チャンネル振幅値（Min.））を求めるのは、配置規定内での配置の振れがセンサＩＣ単位に生じることよる。
【００６９】
センサＩＣ（１）のＲ色のチャンネルでは、
区間最大値の配列は、Red_Max（x）＝Max（x-4、x-3、x-2、x-1、x、x+1、x+2、x+3、x+４）；x=４〜296
区間最小値の配列は、Red_Min（x）＝Min（x-4、x-3、x-2、x-1、x、x+1、x+2、x+3、x+４）；x=４〜296
（区間最大値−区間最小値）は、（Red_Max（x）−Red_Min（x））；x=４〜296
となる。
【００７０】
この振幅値（区間最大値−区間最小値）の平均値を求め、センサＩＣ（１）のRedチャンネル振幅値（Ave.）とする。あるいは、この振幅値の最小値を求め、センサＩＣ（１）のRedチャンネル振幅値（Min.）とする。
【００７１】
同様に、センサＩＣ（１）のＧ色のチャンネルでは、
区間最大値の配列は、Green _Max（x）＝Max（x-4、x-3、x-2、x-1、x、x+1、x+2、x+3、x+４）；x=４〜296
区間最小値の配列は、Green _Min（x）＝Min（x-4、x-3、x-2、x-1、x、x+1、x+2、x+3、x+４）；x=４〜296
（区間最大値−区間最小値）は、（Green _Max（x）−Green _Min（x））；x=４〜296
となる。
【００７２】
この振幅値の平均値を求め、センサＩＣ（１）のGreenチャンネル振幅値（Ave.）とする。あるいは、この振幅値の最小値を求め、センサＩＣ（１）のGreenチャンネル振幅値（Min.）とする。
【００７３】
同様に、センサＩＣ（１）のＢ色のチャンネルでは、
区間最大値の配列は、Blue _Max（x）＝Max（x-4、x-3、x-2、x-1、x、x+1、x+2、x+3、x+４）；x=４〜296
区間最小値の配列は、Blue _Min（x）＝Min（x-4、x-3、x-2、x-1、x、x+1、x+2、x+3、x+４）；x=４〜296
（区間最大値−区間最小値）は、（Blue _Max（x）−Blue _Min（x））；x=４〜296
となる。
【００７４】
この振幅値の平均を求め、センサＩＣ（１）のBlueチャンネル振幅値（Ave.）とする。あるいは、この振幅値の最小値を求め、センサＩＣ（１）のBlueチャンネル振幅値（Min.）とする。
【００７５】
センサＩＣ（２）〜（１７）についても、上記と同様の演算を行い、センサＩＣ毎の振幅特性値(光学特性値)をR,G,Bの各チャンネルについて求める。区間のサイズは、ロッドレンズ周期（直径相当）に対応した画素数とすることが好ましいがこれに限定されるものではない。たとえば、ロッドレンズ周期の２倍としてもよい。
【００７６】
なお、図１１の処理とは別に、多数の密着型イメージセンサユニットについて、第１のゴミ付着検出方法によってゴミ付着を検出できるか否かを検証した結果と上記の演算結果との対比から、密着型イメージセンサユニットが第１のゴミ付着検出方法に適している否かをチャンネル振幅値（Ave.）に基づいて判定するための第１閾値を求めた結果、第１閾値は‘４０’となった。なお、第１閾値および第２閾値は、測定系に応じた値に設定する。たとえば、Ａ／Ｄ変換部から何ビットのディジタル値で出力されるか、白色基準板の反射率や光源条件、アナログフロントエンド処理での回路パラメータ（アンプ回路のGain設定値）などに応じて、閾値を設定すればよい。
【００７７】
図１２は、ある検査対象の密着型イメージセンサユニットのセンサＩＣ（１）〜（１７）について、Ｒ，Ｇ，Ｂチェンネル毎に求めた光学特性値であるチャンネル振幅値（Ave.）とチャンネル振幅値（Min.）を一覧表にしたものである。この密着型イメージセンサユニットでは、センサＩＣ（１）〜（３）のＲ色チャンネルでチャンネル振幅値（Ave.）の値が第１閾値である‘４０’以下となっているので、チャンネル振幅値（Ave.）を基準とする判定法では、センサＩＣ（１）〜（３）のＲ色チャンネルは第１のゴミ付着検出方法に適していないと判定される。
【００７８】
この密着型イメージセンサユニットについて第１のゴミ付着検出方法でゴミを検出し得るか否かを検証してみると、チャンネル振幅値（Ave.）に基づく判定と同じ結果となった。図１２では、チャンネル振幅値（Ave.）の値が第１閾値以下となった箇所をグレーの背景色で示してある。
【００７９】
図１３は、図１２の一覧表における各センサＩＣのＲ色のチャンネル振幅値（Ave.）をグラフ化したものであり、図１４は、図１２の一覧表における各センサＩＣのＧ色のチャンネル振幅値（Ave.）をグラフ化したものであり、図１５は、図１２の一覧表における各センサＩＣのＢ色のチャンネル振幅値（Ave.）をグラフ化したものである。チャンネル振幅値（Ave.）に基づく判定において第１閾値である‘４０’が適切な値であることが分かる。
【００８０】
画像読取装置１０は、検査対象の密着型イメージセンサユニットの各色の各センサＩＣについて求めたチャンネル振幅値（Ave.）と第１閾値（あるいはチャンネル振幅値（Min.）と第２閾値）とを比較し（図１１、ステップＳ１０５）、いずれか１つでも第１閾値（あるいは第２閾値）以下ならば（ステップＳ１０５;Ｙｅｓ）、その検査対象の密着型イメージセンサユニットは、第１のゴミ付着検出方法に適さないと判定して（ステップＳ１０６）、本処理を終了する。
【００８１】
すべてのセンサＩＣのＲ，Ｇ，Ｂすべての色においてチャンネル振幅値（Ave.）が第１閾値より大きい（あるいはチャンネル振幅値（Min.）が第２閾値より大きい）ならば（ステップＳ１０５;Ｎｏ）、その検査対象の密着型イメージセンサユニットは、第１のゴミ付着検出方法に適すると判定して（ステップＳ１０６）本処理を終了する。
【００８２】
なお、チャンネル振幅値（Ave.）に基づく判定は、チャンネル振幅値（Min.）に基づく判定より高い精度（グレーゾーン的なものまで）で第１のゴミ付着検出方法に適さないものを検出することができる。チャンネル振幅値（Min.）に基づく判定では、第１のゴミ付着検出方法が致命的に好ましくない光学特性の場合が検出される。
【００８３】
判定結果は、操作表示部２６に表示する。また、第１のゴミ付着検出方法に適すると判定された密着型イメージセンサユニットは、画像読取装置１０において、白色基準板に対する相対位置が固定される密着型イメージセンサユニット１７として用いる。すなわち、第２読取部に搭載する密着型イメージセンサユニット１７として使用する。一方、第１のゴミ付着検出方法に適さないと判定された密着型イメージセンサユニットは、白色基準板に対して相対位置が可動する密着型イメージセンサユニット１８として用いる。すなわち、第１読取部に搭載する密着型イメージセンサユニット１８として使用する。
【００８４】
また、画像読取装置１０は、第１のゴミ付着検出方法に適すると判定され、第２読取部に搭載された密着型イメージセンサユニット１７については、第１のゴミ付着検出方法（第１のゴミ付着検出処理）で、シェーディング補正時にゴミの付着の有無を検出する。一方、第１読取部に搭載された密着型イメージセンサユニット１８は、第１のゴミ付着検出方法に適さないので、これとは別の第２のゴミ付着検出方法でゴミの付着を検出する。このように、画像読取装置１０は、第１読取部に搭載した密着型イメージセンサユニット１８と第２読取部に搭載した密着型イメージセンサユニット１７とでゴミ付着検出処理を切り替える。
【００８５】
第２のゴミ付着検出方法の一例を示す。白色基準板との相対位置を移動させながら、白色基準板を複数回読み取る。そして、読取データを予め登録してあるゴミ付着なしの場合の読取データと比較等することにより、ゴミの付着の有無を検出する。さらに、白色基準板と密着型イメージセンサユニットとの相対位置を移動させても、同じ位置にゴミの付着が検出され続ける場合には、そのゴミが密着型イメージセンサユニットの入射面に付着していると判定する。一方、ある相対位置で検出されたゴミが、白色基準板と密着型イメージセンサユニットとの相対位置を移動させることで検出されなくなる場合には、そのゴミが白色基準板側に付着していると判定する。
【００８６】
第１、第２のゴミ付着検出方法によりゴミの付着が検出された場合、画像読取装置１０は、ゴミ付着箇所のシェーディング補正データを補正したり、ゴミ付着のない初期データで置き換えたり、あるいは、ユーザに対してゴミ付着箇所の清掃を要求する表示を行ったりする。特に、密着型イメージセンサユニットの入射面にゴミが付着していることを検出した場合には警告表示することが望ましい。
【００８７】
次に、センサＩＣ単位で測定系及びセンサＩＣ端部画素の感度バラツキを補正するために、白色基準板を読み取って得た値d（n）：nは画素番号、に対して、センサＩＣ単位での測定データ補正処理を施してその処理結果であるD(n)を取得し、D(n)に基づいて光学特性を判定する場合について説明する。ここでは、センサＩＣ単位での測定データ補正処理を移動平均とする。ローパスフィルタ効果がある移動平均処理を読取データに施すことでセンサ出力値がバラツク（白色基準板の平面性があらい）検査測定系で有効な補正処理となる。
【００８８】
センサＩＣの先端および後端（３０４画素のセンサＩＣならば先端および後端の４〜８画素の範囲）は、センサＩＣのつなぎ部となることから、中央付近に比べて、感度バラツキが生じやすい。また、センサＩＣのつなぎ目は所定の直線性を出すために所定距離を置いてセンサＩＣが配置されるため、受光感度バラツキの影響を受けるケースがある。このようなセンサＩＣ特性では、
D(n)=（d（n-4）+ d（n-3 ）+d（n-2）+d（n-1）+d（n）+d（n+1）+d（n+2）+d（n+3）+d（n+4））÷9
というような移動平均処理を実施する。
【００８９】
その後は、図１１のステップＳ１０３以降と同様にして、区間最大値及び区間最小値、（区間最大値-区間最小値）の配列を求め、さらに、センサＩＣ毎かつ色毎に、振幅値（区間最大値−区間最小値）の平均値（チャンネル振幅値（Ave.））や最小値（チャンネル振幅値（Min.））を求め、該当の閾値と比較して、第１のゴミ付着検出方法に適するか否かを判定する。なお、移動平均処理のパラメータには、ロッドレンズアレイにおけるロッドレンズ直径距離に相当する、９画素相当を好適値として設定するが、これに限定されるものではない。
【００９０】
移動平均処理後の値（D(n)）に基づき、図１２と同じ検査対象の密着型イメージセンサユニットについてセンサＩＣ毎かつ色毎にチャンネル振幅値（Ave.）を求めた結果を図１６に示す。同一測定系（白色基準版、光源設定、AFEの回路パラメータ等が同じ測定系）であっても、移動平均処理補正に伴い、判定すべき数値が小さくなっており、これに対応して閾値も小さく設定する。この例では、センサＩＣ（１）〜（３）のＲ色チャンネルを不適合として検出すべきであるから、閾値は‘７’に設定する。図１６では、図１２と同様に、チャンネル振幅値（Ave.）が閾値以下の箇所の背景をグレーで示してある。
【００９１】
なお、第１のゴミ付着検出方法に適する密着型イメージセンサユニットであるか否かを判定する処理は、画像読取装置１０とは別体の検査装置で行われても良い。本発明に係る画像読取装置は、第１のゴミ付着検出方法に適すると判定された密着型イメージセンサユニットが、白色基準板と密着型イメージセンサユニット１７との相対位置が固定される第２読取部に搭載され、第１のゴミ付着検出方法に適さないと判定された密着型イメージセンサユニットが、白色基準板に対して密着型イメージセンサユニットが可動する仕組みの第１読取部に搭載されればよく、第１のゴミ付着検出方法に適するか否かの判定処理（ＣＩＳ判定処理）は、当該画像読取装置１０で行っても良いし、別体の検査装置で行われても良い。
【００９２】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９３】
実施の形態では、画像読取装置１０が単独の装置である場合を例示したが、本発明は、画像読取装置１０の機能を備えた装置、たとえば、画像読取装置１０は原稿を読み取るスキャナ部として備え、コピー機能、プリンタ機能、ＦＡＸ機能など併せ持つ複合機などについても適用される。ＣＩＳ判定処理は複合機の主制御部で行われても良い。
【００９４】
実施の形態では、Ｒ、Ｇ、Ｂの３つのチャンネルを備えるイメージセンサユニットを例に説明したが。チャンネルの数はこれに限定されるものではない。
【００９５】
実施の形態では、第１のゴミ付着検出方法に適するか否かの判定において、検査対象の密着型イメージセンサユニットで白色基準板を読み取ってセンサ出力を一次格納するようにしたが、白色基準板を読み取ったセンサ出力値が予め密着型イメージセンサユニットの記憶部６３に記憶されている場合（たとえば、密着型イメージセンサユニットの製造工程や検査工程で該当のデータが記憶部に書き込まれている場合）には、記憶部６３から読み出したセンサ出力値に対して図１１のステップＳ１０２以降の処理を施して、第１のゴミ付着検出方法に適するか否かを判定してもよい。
【００９６】
あるいは、密着型イメージセンサユニットの記憶部６３に、第１のゴミ付着検出方法に適するか否かを判定するための光学特性値（チャンネル振幅値（Ave.）とチャンネル振幅値（Min.））が記憶されている場合には、その値と閾値との比較によりその密着型イメージセンサユニットが第１のゴミ付着検出方法に適するか否かを判定してもよい。
【００９７】
あるいは、密着型イメージセンサユニットの記憶部６３に、第１のゴミ付着検出方法に適するか否かの判定結果が既に記憶されている場合には、画像読取装置１０は、その判定結果を読み出して、その密着型イメージセンサユニットが第１のゴミ付着検出方法に適するか否かを認識してもよい。
【００９８】
実施の形態では、白色基準板に対して密着型イメージセンサユニットが可動する仕組みの例として、プラテンガラスに載置された原稿を読み取りフラットベット型の読取部を例示したが、このような広い範囲で移動するものに限定されず、たとえば、白色基準板との相対位置が白色基準板のエリア内で移動可能に構成された読取部であってもよい。
【符号の説明】
【００９９】
１０…画像読取装置
１１…プラテンガラス
１２…透光ガラス
１３…本体部
１４…原稿台
１５…排紙トレイ
１６…自動原稿搬送部
１６ａ…繰り出しローラ
１６ｂ…搬送ローラ
１７…密着型イメージセンサユニット（第２読取部に搭載）
１８…密着型イメージセンサユニット（第１読取部に搭載）
１９ａ、１９ｂ…白色基準板
２０…制御回路部
２１…ＣＰＵ
２２…ＲＯＭ
２３…ＲＡＭ
２４…Ｉ／Ｆ部
２５…画像処理部
２６…操作表示部
３０…筐体
３２…透過体
４０…照射部
４２…導光体
４４…光源
５０…ロッドレンズアレイ
６０…センサ基板
６１…光電変換部
６３…記憶部
【図１】
2020150477.tif 000003
【図２】
2020150477.tif 000004
【図３】
2020150477.tif 000005
【図４】
2020150477.tif 000006
【図５】
2020150477.tif 000007
【図６】
2020150477.tif 000008
【図７】
2020150477.tif 000009
【図８】
2020150477.tif 000010
【図９】
2020150477.tif 000011
【図１０】
2020150477.tif 000012
【図１１】
2020150477.tif 000013
【図１２】
2020150477.tif 000014
【図１３】
2020150477.tif 000015
【図１４】
2020150477.tif 000016
【図１５】
2020150477.tif 000017
【図１６】
2020150477.tif 000018